【事件の表示】
　特願２０１５−２３３４８４「内臓脂肪面積の評価方法、内臓脂肪面積評価装置、内臓脂肪面積評価方法、内臓脂肪面積評価プログラム、記録媒体、内臓脂肪面積評価システム、及び端末装置」拒絶査定不服審判事件〔平成２８年　３月　３日出願公開、特開２０１６−　２９３９８〕について、次のとおり審決する。
【結　論】
　本件審判の請求は、成り立たない。
【理　由】
第１　手続の経緯 
　本願は、２００８年（平成２０年）６月２５日（優先権主張　平成１９年６月２５日）を国際出願日とする特願２００９−５２０６１７号の一部を平成２５年１１月２７日に新たな特許出願とした特願２０１３−２４５４８８号の一部を平成２７年１１月３０日に新たな特許出願としたものであって、平成２８年１０月７日付けの拒絶理由が通知され、平成２９年２月１４日に意見書が提出されるとともに手続補正がなされたが、同年７月２４日付けで拒絶査定がなされ、これに対して同年１１月１日に拒絶査定不服審判の請求がなされ、それと同時に手続補正（以下「本件補正」という。）がなされたものである。
第２　本件補正についての補正却下の決定 
　
［補正却下の決定の結論］ 
　本件補正を却下する。 
   
［理由］ 
１　本件補正について 
　本件補正は、本件補正前の平成２９年２月１４日にされた手続補正により補正された特許請求の範囲の請求項１の記載である、
「【請求項１】
評価対象の血液中のＬｅｕ，Ｖａｌ，Ｉｌｅのうち少なくとも１つの濃度値とＴｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎのうち少なくとも１つの濃度値に基づいて、前記評価対象につき内臓脂肪面積の状態を評価する濃度値基準評価ステップを含むこと　を特徴とする内臓脂肪面積の評価方法。」を、
「【請求項１】
　評価対象の血液中のＬｅｕ，Ｖａ
ｌの
，Ｔ
，Ｇ
ｒの
　
前記濃度値基準評価ステップは、
　
前記評価対象の血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数として含む内臓脂肪面積の状態を評価するための式に基づいて、当該式の値を算出する算出ステップ
　
を含む
　を特徴とする内臓脂肪面積の評価方法。」とする補正を含むものである。
２　補正の適否 
（１）上記補正において、「Ｌｅｕ，Ｖａｌ，Ｉｌｅのうち少なくとも１つの濃度値」を「Ｌｅｕ，Ｖａｌのうち少なくとも１つの濃度値」とし、「Ｔｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎのうち少なくとも１つの濃度値」を「Ｔｙｒ，Ｔｒｐ，Ｇｌｕ，Ａｌａ，Ｐｒｏ，Ｇｌｙ，Ｓｅｒのうち少なくとも１つの濃度値」とする補正は、前者は「Ｌｅｕ，Ｖａｌ，Ｉｌｅ」から「Ｉｌｅ」を削除、後者は「Ｔｙｒ，Ｐｈｅ，Ｔｒｐ，Ｇｌｕ，Ａｌａ，Ｐｒｏ，Ｏｒｎ，Ｌｙｓ，Ｇｌｙ，Ｓｅｒ，Ｍｅｔ，Ａｒｇ，Ｃｙｓ，Ｇｌｎ」から「Ｐｈｅ，Ｏｒｎ，Ｌｙｓ，Ｍｅｔ，Ａｒｇ，Ｃｙｓ，Ｇｌｎ」を削除するものでり、マーカッシュ形式における選択肢の削除に該当するものであるから、上記請求項１についての本件補正は、特許法第１７条の２第５項第２号の特許請求の範囲の減縮を目的とするものを含むものである。
　そこで、本件補正後の上記請求項１に記載された発明（以下「補正発明」という。）が同条第６項において準用する同法第１２６条第７項の規定に適合するか（特許出願の際独立して特許を受けることができるものであるか）について、以下に検討する。
（２）特許法第３６条第６項第１号について
　下記第３の２で記載しているように、原査定の拒絶の（理由３）は、選択的に記載されるアミノ酸は、特定の指標式を用いた時に初めて内臓脂肪蓄積（面積）の判別能を有するものであり、指標式の種類が何ら特定されていない請求項に係る発明は、発明の詳細な説明に記載されたものといえないことから、特許法第３６条第６項第１号に規定する要件を満たしていないとしたものである。
ア  本願明細書の記載について
　本願明細書には、内臓脂肪面積についての状態を示す実施例の記載として、以下の記載がある。なお、下線は当審において付与した。
「【実施例１】
【０２８２】
　人間ドック受診者１５４例を前述の日本内科学会関連８学会合同診断基準に基づき非内臓脂肪蓄積群（５９例）と内臓脂肪蓄積群（９５例）に分け、それぞれの血液サンプルから、前述のアミノ酸分析法により血中アミノ酸濃度を測定した。」
「【実施例２】
【０２８４】
　実施例１で示した人間ドック受診者１５４例の内臓脂肪面積値とそれぞれの血中アミノ酸濃度との相関係数（Ｐｅａｒｓｏｎ相関係数）を求めた。
【０２８５】
　内臓脂肪面積値と有意な相関を示した血中アミノ酸は、Ｖａｌ（ｒ＝０．４１），Ｌｅｕ（ｒ＝０．３７），Ｉｌｅ（ｒ＝０．４２），Ｔｙｒ（ｒ＝０．３９），Ｔｒｐ（ｒ＝０．３２），Ｇｌｕ（ｒ＝０．４８），Ａｌａ（ｒ＝０．２４），Ｐｒｏ（ｒ＝０．１９），Ｌｙｓ（ｒ＝０．１７），Ｇｌｙ（ｒ＝−０．２８），Ｓｅｒ（ｒ＝−０．２０），Ｍｅｔ（ｒ＝０．２１），Ａｒｇ（ｒ＝０．１６）であった。これにより、
アミノ酸変数Ｖａｌ，Ｌｅｕ，Ｉｌｅ，Ｔｙｒ，Ｔｒｐ，Ｇｌｕ，Ａｌａ，Ｐｒｏ，Ｌｙｓ，Ｇｌｙ，Ｓｅｒ，Ｍｅｔ，Ａｒｇが、内臓脂肪面積の状態の診断能を持つ
「【実施例４】
【０２８８】
　実施例１で用いたサンプルデータを用いた。本出願人による国際出願である国際公開第２００４／０５２１９１号に記載の方法を用いて、
内臓脂肪蓄積を反映する内臓脂肪面積の状態の診断性能を最大化する指標式を鋭意探索し
指標式２が得られた
指標式２：（Ｇｌｕ＋Ｇｌｙ）　＋　（−０．２）×（Ｓｅｒ／Ｔｙｒ）　＋　（−０．１）×（Ｈｉｓ／Ｔｒｐ）
「【実施例７】
【０２９３】
　人間ドック受診者２０１例を前述の日本内科学会関連８学会合同診断基準に基づき非内臓脂肪蓄積群（７２例）と内臓脂肪蓄積群（１２９例）に分け、それぞれの血液サンプルから、前述のアミノ酸分析法により血中アミノ酸濃度を測定した。」
「【実施例８】
【０２９５】
　実施例７で示した人間ドック受診者２０１例の内臓脂肪面積値とそれぞれの血中アミノ酸濃度との相関係数（Ｐｅａｒｓｏｎ相関係数）を求めた。
【０２９６】
　内臓脂肪面積値と有意な相関を示した血中アミノ酸は、Ｌｅｕ（ｒ＝０．５３），Ｇｌｕ（ｒ＝０．５２），Ｉｌｅ（ｒ＝０．５２），Ｖａｌ（ｒ＝０．４９），Ｐｒｏ（ｒ＝０．４１），Ｇｌｙ（ｒ＝−０．３７），Ａｌａ（ｒ＝０．３４），Ｔｙｒ（ｒ＝０．３４），Ｐｈｅ（ｒ＝０．２８），Ｃｙｓ（ｒ＝０．２５），Ｏｒｎ（ｒ＝０．２１），Ｌｙｓ（ｒ＝０．２０），Ｔｒｐ（ｒ＝０．１９），Ｇｌｎ（ｒ＝−０．１７），Ｓｅｒ（ｒ＝−０．１７），Ｍｅｔ（ｒ＝０．１７）であった。これにより、
アミノ酸変数Ｌｅｕ，Ｇｌｕ，Ｉｌｅ，Ｖａｌ，Ｐｒｏ，Ｇｌｙ，Ａｌａ，Ｔｙｒ，Ｐｈｅ，Ｃｙｓ，Ｏｒｎ，Ｌｙｓ，Ｔｒｐ，Ｇｌｎ，Ｓｅｒ，Ｍｅｔが、内臓脂肪面積の状態の診断能を持つ
「【実施例１０】
【０２９９】
　実施例７で用いたサンプルデータを用いた。本出願人による国際出願である国際公開第２００４／０５２１９１号に記載の方法を用いて、
内臓脂肪蓄積を反映する内臓脂肪面積の状態の診断性能を最大化する指標式を鋭意探索し
指
標式５：（Ｇｌｕ／Ｇｌｙ）　＋　（−０．５４）×（Ｓｅｒ／Ｌｅｕ）　＋　（０．１５）×（Ｐｒｏ／Ｔｒｐ）　＋　（−０．０５）×（Ｇｌｎ／Ｔｙｒ）
「【実施例１３】
【０３０４】
　実施例７で用いたサンプルデータを用いた。本出願人による国際出願である国際公開第２００６／０９８１９２号に記載の方法（多変量判別式の探索方法）を用いて、
内臓脂肪蓄積を反映する内臓脂肪面積の状態の診断性能を最大化する指標式を鋭意探索し、指標式５と同等の
線形回帰式は複数得られた
【実施例１４】
【０３０５】
　実施例７で用いたサンプルデータを用いた。本出願人による国際出願である国際公開第２００４／０５２１９１号に記載の方法を用いて、
内臓脂肪蓄積を反映する内臓脂肪面積の状態の診断性能を最大化する指標式を鋭意探索し、指標式５と同等の
多変量解析式は複数得られた
「【実施例１８】
【０３０９】
　実施例７で用いたサンプルデータを用いた。本出願人による国際出願である国際公開第２００４／０５２１９１号に記載の方法及び国際公開第２００６／０９８１９２号に記載の方法（多変量判別式の探索方法）を用いて、
内臓脂肪蓄積を反映する内臓脂肪面積の状態の診断性能を最大化する指標式を鋭意探索し、指標式５と同等の
多変量解析式は複数得られた
イ　補正発明におけるアミノ酸と式について
　補正発明において、アミノ酸は「Ｌｅｕ，Ｖａｌのうち少なくとも１つ」と「Ｔｙｒ，Ｔｒｐ，Ｇｌｕ，Ａｌａ，Ｐｒｏ，Ｇｌｙ，Ｓｅｒのうち少なくとも１つ」であり、式としては、それらの「濃度値」としての「変数」が特定されるのみで、具体的な式は特定されていない。
ウ　判断
（ア）具体的な式について
　補正発明は、例えば、アミノ酸を「Ｌｅｕ，Ｖａｌのうち少なくとも１つ」から「Ｖａｌ」、「Ｔｙｒ，Ｔｒｐ，Ｇｌｕ，Ａｌａ，Ｐｒｏ，Ｇｌｙ，Ｓｅｒのうち少なくとも１つ」から「Ａｌａ」を選択することを含むものであり、この場合、内臓脂肪面積の状態を評価するための「式」は、「Ｖａｌ」及び「Ａｌａ」の濃度値を変数とする式となる。
　これに対し、上記イで摘記した明細書の記載を参照するに、内臓脂肪面積の状態の診断性能を最大化する指標式として、具体的に記載されているのは、指標式２としての「（Ｇｌｕ＋Ｇｌｙ）＋（−０．２）×（Ｓｅｒ／Ｔｙｒ）＋（−０．１）×（Ｈｉｓ／Ｔｒｐ）」と、
指標式５としての「（Ｇｌｕ／Ｇｌｙ）＋（−０．５４）×（Ｓｅｒ／Ｌｅｕ）＋（０．１５）×（Ｐｒｏ／Ｔｒｐ）＋（−０．０５）×（Ｇｌｎ／Ｔｙｒ）」である。これらの式をみるに、そもそも、２つのアミノ酸の濃度値を変数とする式ではなく、上記選択したＶａｌ及びＡｌａのアミノ酸は記載されてもいない。さらに、図３７、図３８  図３９、図４０及び図４７（摘記略）には、少なくとも６個以上のアミノ酸の濃度を変数として式が記載されているものの、このような２つのアミノ酸の濃度値を変数とする式は記載されていない。
　してみれば、補正発明の「血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数として含む内臓脂肪面積の状態を評価するための式」は、発明の詳細な説明に記載されていない式を含むものである。
（イ）拡張ないし一般化について
　上記アで摘記した明細書には、「アミノ酸変数Ｖａｌ，Ｌｅｕ，Ｉｌｅ，Ｔｙｒ，Ｔｒｐ，Ｇｌｕ，Ａｌａ，Ｐｒｏ，Ｌｙｓ，Ｇｌｙ，Ｓｅｒ，Ｍｅｔ，Ａｒｇが、内臓脂肪面積の状態の診断能を持つ」、「アミノ酸変数Ｌｅｕ，Ｇｌｕ，Ｉｌｅ，Ｖａｌ，Ｐｒｏ，Ｇｌｙ，Ａｌａ，Ｔｙｒ，Ｐｈｅ，Ｃｙｓ，Ｏｒｎ，Ｌｙｓ，Ｔｒｐ，Ｇｌｎ，Ｓｅｒ，Ｍｅｔが、内臓脂肪面積の状態の診断能を持つ」という記載もあるものの、例えば、上記指標式２には、これら単独で内臓脂肪面積の状態の診断能を持つ可能性があるとされるアミノ酸以外の「Ｈｉｓ」が「変数」となっており、これら単独で内臓脂肪面積の状態の診断能を持つ可能性があるとされるアミノ酸を組み合わせて、内臓脂肪面積の状態を評価するための指標式が作成されるものではない。
　さらに、血中にあるアミノ酸（２０種程度）をある状態の診断に使用する際には、血中におけるアミノ酸の濃度を変数とした指標式（判別式）を作成して、その式に基づいてその状態の診断を行うのが通常（例えば、上記アで摘記した本願明細書にも記載されている国際公開第２００４／０５２１９１号、国際公開第２００６／０９８１９２号、等参照）である。
　してみれば、本願明細書に「アミノ酸変数Ｖａｌ，Ｌｅｕ，Ｉｌｅ，Ｔｙｒ，Ｔｒｐ，Ｇｌｕ，Ａｌａ，Ｐｒｏ，Ｌｙｓ，Ｇｌｙ，Ｓｅｒ，Ｍｅｔ，Ａｒｇが、内臓脂肪面積の状態の診断能を持つ」、「アミノ酸変数Ｌｅｕ，Ｇｌｕ，Ｉｌｅ，Ｖａｌ，Ｐｒｏ，Ｇｌｙ，Ａｌａ，Ｔｙｒ，Ｐｈｅ，Ｃｙｓ，Ｏｒｎ，Ｌｙｓ，Ｔｒｐ，Ｇｌｎ，Ｓｅｒ，Ｍｅｔが、内臓脂肪面積の状態の診断能を持つ」との記載があるにしろ、これらの記載から、上記指標式２及び指標式５以外の式として、内臓脂肪面積の状態を診断する指標式として具体的にどのような式が含まれるのかは不明であり、補正発明の「血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数として含む内臓脂肪面積の状態を評価するための式」ということまで、拡張ないし一般化できるものではない。
（ウ）請求人の主張について
　請求人は、審判請求書の請求の理由で「本願の各独立請求項に係る発明に記載されている式は、内臓脂肪面積の状態について十分な判別能を有することが
実際に確かめられた当初明細書等（特に図３７，３８）に記載の複数の式
エ　小括
　したがって、「内臓脂肪面積の状態を評価するための式」として、「血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数」とすることのみを特定した補正発明の範囲まで、発明の詳細な説明に開示された内容を拡張ないし一般化できるとはいえないことから、補正発明は、発明の詳細な説明に記載したものとはいえない。
　よって、補正発明は、特許法第３６条第６項第１号に規定する要件を満たしていないことから、特許出願の際独立して特許を受けることができないものである。
（３）特許法第２９条第２項について
ア　引用文献の記載について
（ア）引用文献１について
ａ　本願の優先日前に頒布され、下記第３の２の原査定の拒絶の（理由１）で引用された刊行物である引用文献１（国際公開第２００４／０５２１９１号）には、次の事項が記載されている。なお、下線は当審において付与した。
（１ａ）「そこで、本発明者は、各個体中の代謝物（特に、アミノ酸）の血中レベルの相関関係が非常に有効な状態指標になりうることを発見した。すなわち、アミノ酸等の限定された代謝物の血中レベルの高精度な測定データと特定の生体状態との関係の解析によって、現象的に特定の生体状態と関連している代謝物のコンビネーションを探索することが可能である。さらに、健常人と特定の生体状態を差別化できる指標があれば、それを早期診断指標とすることが可能である。 
　このような目的を達成するため、本発明にかかる生体状態情報処理装置、及び本発明にかかる生体状態情報処理方法、および、本発明にかかる生体状態情報処理方法をコンピュータに実行させることを特徴とするプログラムは、各個体において測定された生体状態に関する指標データと、各個体中の各代謝物について測定された血中濃度データとの相関を示す、数式１に示す相関式を設定する相関式設定手段（相関式設定ステップ）と、上記相関式設定手段（相関式設定ステップ）にて設定された上記相関式に、シミュレーション対象の個体中の各代謝物について測定された血中濃度データ群を代入して、上記シミュレーション対象の個体中の上記生体状態をシミュレーションする生体状態シミュレーション手段（生体状態シミュレーションステップ）とを備えた（含む）ことを特徴とする。 
（数式１において、ｉ、ｊ、ｋは自然数であり、Ａｉ、Ｂｊは代謝物の血中濃度データであり、Ｃｉ、Ｄｉ、Ｅｊ、Ｆｊ、Ｇｋ、Ｈは定数である。）
　この装置、方法、および、プログラムによれば、各個体において測定された生体状態に関する指標データと、各個体中の各代謝物について測定された血中濃度データとの相関を示す、数式１に示す相関式を設定し、設定された相関式に、シミュレ ーション対象の個体中の各代謝物について測定された血中濃度データ群を代入して、シミュレーション対象の個体中の生体状態をシミュレーションするので、例えば、健康状態、疾病の進行状態、疾病の治療状態、将来の疾病リスク、薬剤の有効性、薬剤の副作用などを個体中の代謝物の血中濃度に基づいて効果的にシミュレーションすることができる。」（４頁２６行〜５頁最下行）
（１ｂ）「（１−４：肥満） 
　ヒト成長ホルモン遺伝子導入ラット（ｈＧＨ−Ｔｇ　ラット）は、極度な肥満を呈する肥満モデル動物として報告されている。下記判別式は、その
肥満ラット
血中アミノ酸濃度をもとに算出
判別例
 肥満指標：Ｉｎｄｅｘ（Ｏｂ）　： 
 
（Ｇｌｙ）／（Ｖａｌ＋Ｌｅｕ＋Ａｒｇ）＋（Ｃｉｔ）／（Ａｌａ＋Ｔｒｐ）＋（Ｔｙｒ）／（Ｌｙｓ）＋（Ｈｉｓ）／（Ｓｅｒ＋Ｉｌｅ＋Ｏｒｎ）
ｂ　引用発明について
　摘記（１ｂ）において、判別式を構成する（Ｇｌｙ）、（Ｖａｌ）、（Ｌｅｕ）、（Ａｒｇ）、（Ｃｉｔ）、（Ａｌａ）、（Ｔｒｐ）、（Ｔｙｒ）、（Ｌｙｓ）、（Ｈｉｓ）、（Ｓｅｒ）、（Ｉｌｅ）及び（Ｏｒｎ）は、血中のそれらの「濃度値」であり、そして判別式においてラットによって異なる「変数」となる。
　してみれば、引用文献１には、上記（１ｂ）から、以下の発明が記載されていると認められる。
「ラットの血中のＧｌｙ、Ｖａｌ、Ｌｅｕ、Ａｒｇ、Ｃｉｔ、Ａｌａ、Ｔｒｐ、Ｔｙｒ、Ｌｙｓ、Ｈｉｓ、Ｓｅｒ、Ｉｌｅ及びＯｒｎ濃度値に基づいて、ラットの肥満を判別する方法において、
　それらの濃度値をもとに、判別式である（Ｇｌｙ）／（Ｖａｌ＋Ｌｅｕ＋Ａｒｇ）＋（Ｃｉｔ）／（Ａｌａ＋Ｔｒｐ）＋（Ｔｙｒ）／（Ｌｙｓ）＋（Ｈｉｓ）／（Ｓｅｒ＋Ｉｌｅ＋Ｏｒｎ）を算出し、ラットの肥満を判別する方法。」（以下「引用発明」という。）
（イ）引用文献３について
　本願の優先日前に頒布され、下記第３の２の原査定の拒絶の（理由１）で引用された刊行物である引用文献３（高橋三雄 他４名，人間ドッグにおける血漿アミノ酸測定の有用性について１（丸数字）：メタボリックシンドローム検診，人間ドッグ，２００６年，Vol.21,No.2，p.417(589)）には、次の事項が記載されている。なお、下線は当審において付与した
（３ａ）「【目的】血漿アミノグラムは生体の生理学的な代謝状態を反映して変動すると考えられているが肝硬変や一部の先天性代謝異常を除くと，その情報は臨床診断に対し充分利用されているとはいえない．一方で、
肥満症患者
【対象】２００５年に当センターでの人間ドック受診者４２５例を対象とした。 
【方法】空腹時採血したサンプルの
血漿中アミノ酸濃度
【成績】・・・
 ３（丸囲み数字）
分岐鎖アミノ酸（Ｌｅｕ，Ｖａｌ，Ｉｌｅ）は腹囲８５ｃｍ以上群
に高値を示した
【結語】動物データや少数例のヒトデータで報告されている挙動を人間ドック受診者の多数例によって検証できた．人間ドックにおけるアミノ酸測定と解析は、ＭＳのような疾病予備群の発見など今後必要とされる予防医療において有用な情報を提供できると考えられる．」（４１７頁左欄） 
（ウ）引用文献４について
　本願の優先日前に頒布され、下記第３の２の原査定の拒絶の（理由１）で引用された刊行物である引用文献４（メタボリックシンドローム診断基準検討委員会，メタボリックシンドロームの定義と診断基準，日本内科学会雑誌，２００５年，Vol.94，No.4，pp.188-203）には、次の事項が記載されている。なお、下線は当審において付与した。
（４ａ）「ＮＣＥＰの診断基準では，腹部脂肪蓄積（ウエスト径増大であらわされる）が第１の診断項目としてあげられ，メタボリックシンドロームの成立に最も関与度が高いことを反映している．」（１９０頁右欄１５〜１８行）
（４ｂ）「診断基準検討委員会は，メタボリックシンドロームを内臓脂肪蓄積（ウエスト周囲径の増大で示される）＋２つ以上のco-morbidityと定義することで合意が得られた（表１）．」（１９１頁左欄１３〜１７行）
（４ｃ）「表１．メタボリックシンドロームの診断基準
　　　　内臓脂肪（腹腔内脂肪）蓄積
　ウエスト径　　　男性≧８５ｃｍ
　　　　　　　　　女性≧９０ｃｍ
　（
内臓脂肪面積
（４ｄ）「わが国では肥満症診断基準に示されているごとく，臍高レベル腹部ＣＴスキャンによって判定した
腹腔内脂肪面積
イ　対比
　補正発明と引用発明とを対比する
（ア）引用発明の「ラット」は、補正発明の「評価対象」に相当する。
（イ）引用発明の「血中のＧｌｙ、Ｖａｌ、Ｌｅｕ、Ａｒｇ、Ｃｉｔ、Ａｌａ、Ｔｒｐ、Ｔｙｒ、Ｌｙｓ、Ｈｉｓ、Ｓｅｒ、Ｉｌｅ及びＯｒｎ濃度値」は、補正発明の「Ｌｅｕ，Ｖａｌのうち少なくとも１つ濃度値」と「Ｔｙｒ，Ｔｒｐ，Ｇｌｕ，Ａｌａ，Ｐｒｏ，Ｇｌｙ，Ｓｅｒのうち少なくとも１つ濃度値」という特定を満たしている。
　そして、引用発明のそれらの「濃度値に基づいて」「ラットの肥満を判別する」ステップは、補正発明の「濃度値基準評価ステップ」に相当する。
（ウ）引用発明の「（Ｇｌｙ）／（Ｖａｌ＋Ｌｅｕ＋Ａｒｇ）＋（Ｃｉｔ）／（Ａｌａ＋Ｔｒｐ）＋（Ｔｙｒ）／（Ｌｙｓ）＋（Ｈｉｓ）／（Ｓｅｒ＋Ｉｌｅ＋Ｏｒｎ）」の「判別式」は、（アミノ酸）が血中の濃度値である変数を意味することから、補正発明の「血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数」「として含む」「式」の特定を満たしている。
　そして、引用発明の「判別式」「を算出」するステップは、補正発明の「式の値を算出する算出ステップ」に相当する。
（エ）引用発明の「ラットの肥満を判別する方法」と補正発明の「評価対象につき内臓脂肪面積の状態を評価する」「内臓脂肪面積の評価方法」とは、評価対象につき生体状態を評価する」「評価方法」の点で共通する。
（オ）してみれば、補正発明と引用発明とは、
（一致点） 
「評価対象の血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値に基づいて、前記評価対象につき状態を評価する濃度値基準評価ステップを含み、
　前記濃度値基準評価ステップは、　
　前記評価対象の血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数として含む、状態を評価するための式に基づいて、当該式の値を算出する算出ステップ　
　を含む、評価方法。」
　の点で一致し、以下の点で相違する。
（相違点）
　評価する生体状態が、補正発明では「内臓脂肪面積」であるのに対し、引用発明では「肥満」である点。
ウ　相違点についての判断
　肥満の状態と内臓脂肪面積の状態とは密接に関連し、肥満の状態を内臓脂肪面積の状態によって評価することは、引用文献３の摘記（３ａ）、引用文献４の摘記（４ａ）〜（４ｄ）に記載されているとおり、本願優先日前に公知のことである。そして、引用文献３の摘記（３ａ）に記載されているとおり、血漿中アミノ酸濃度（特にＬｅｕ，Ｖａｌ，Ｉｌｅ）が、腹囲すなわち、引用文献４の記載を踏まえれば、内臓脂肪面積と関係していることも本願優先日前に公知のことである。
　してみれば、引用発明は、「Ｇｌｙ、Ｖａｌ、Ｌｅｕ、Ａｒｇ、Ｃｉｔ、Ａｌａ、Ｔｒｐ、Ｔｙｒ、Ｌｙｓ、Ｈｉｓ、Ｓｅｒ、Ｉｌｅ及びＯｒｎ濃度値に基づいて」肥満だけでなく「内臓脂肪面積」についても評価してみようとすることは、当業者が容易に想起し得たことである。
エ　補正発明の効果について
　本願明細書に、「Ｌｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値に基づいて」「内臓脂肪面積の状態を評価する」ことの格別顕著な効果が記載されているとはいえず、引用文献１、３及び４の記載に対し、格別顕著な効果は認められない。
オ　請求人の主張
　請求人は、審判請求の請求の理由で、
「引用文献１−４には、内臓脂肪面積の状態評価に
特化した上記式
特化した式
　特に、当業者が、仮に、引用文献１または２に記載された発明において、血液中のアミノ酸濃度データを変数とした病態評価を行う対象を内臓脂肪面積としたとしても、
上記式を特定する
カ　小括
　よって、補正発明は、引用発明、並びに、引用文献３及び４の記載事項に基づいて当業者が容易に発明をすることができたものであるから、特許法第２９条第２項の規定により、特許出願の際独立して特許を受けることができないものである。
３　本件補正についてのまとめ 
　以上のとおり、補正発明は、特許法第３６条第６項第１号に規定する要件を満たしていない、あるいは、特許法第２９条第２項の規定により、特許出願の際独立して特許を受けることができないものであるから、本件補正は、特許法第１７条の２第６項で準用する同法第１２６条第７項の規定に違反するものであり、同法第１５９条第１項において読み替えて準用する同法第５３条第１項の規定により却下されるべきものである。 
　
第３　本願発明について 
１　本願発明 
　本件補正は上記のとおり却下されたので、本願の請求項１〜３２に係る発明は、平成平成２９年２月１４日にされた手続補正により補正された特許請求の範囲の請求項１〜３２に記載された事項により特定されるものであるところ、その請求項１に係る発明（以下「本願発明」という。）は、上記第２の［理由］１の前者に記載されたとおりのものである。
２　原査定の拒絶の理由
　原査定の拒絶の理由は、
（理由１）この出願の請求項１〜２３に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
（理由２）この出願は、発明の詳細な説明の記載が下記の点で、特許法第３６条第４項第１号に規定する要件を満たしていない。
（理由３）この出願は、特許請求の範囲の記載が下記の点で、特許法第３
６条第６項第１号に規定する要件を満たしていない。
　ことを通知したものであり、概要は以下のとおりである。
理由１について
　引用文献１：国際公開第２００４／０５２１９１号
　引用文献２：国際公開第２００６／０９８１９２号
　引用文献３：高橋三雄 他４名，人間ドッグにおける血漿アミノ酸測定の有用性について１（丸数字）：メタボリックシンドローム検診，人間ドッグ，２００６年，Vol.21,No.2，p.417(589)
　引文献４：メタボリックシンドローム診断基準検討委員会，メタボリックシンドロームの定義と診断基準，日本内科学会雑誌，２００５年，Vol.94，No.4，pp.188-203
　引用文献１又は２に記載の発明、並びに引用文献３、４の記載事項及び周知技術に基づいて、当業者が容易に発明をすることができたものである。
理由２及び３について
　選択的に記載されるアミノ酸は、特定の指標式を用いた時に初めて内臓脂肪蓄積（面積）の判別能を有するものであり、指標式の種類が何ら特定されていない請求項１〜２３に係る発明は、発明の詳細な説明に記載したものでなく、かつ、発明の詳細な説明は、当業者が請求項１〜２３に係る発明を実施することができる程度に明確かつ十分に記載されたものでない。
３　理由１について
（１）引用文献の記載事項
　原査定の拒絶の理由に引用された引用文献１、３及び４の記載事項は、上記第２の［理由］２（３）アに記載したとおりである。
　
（２）対比・判断
　本願発明は、上記第２の［理由］１及び２（１）で記載したとおり、補正発明にマーカッシュ形式における選択肢を追加し、そして、補正発明から「前記評価対象の血液中のＬｅｕ，Ｖａｌのうち少なくとも１つの濃度値とＴｙｒ，Ｔｒｐ，Ｇｌｕ，Ａｌａ，Ｐｒｏ，Ｇｌｙ，Ｓｅｒのうち少なくとも１つの濃度値、および、Ｌｅｕ，Ｖａｌのうち少なくとも１つとＴｙｒ，Ｔｒｐ，Ｇｌｕ，Ａｌａ，Ｐｒｏ，Ｇｌｙ，Ｓｅｒのうち少なくとも１つを変数として含む内臓脂肪面積の状態を評価するための式に基づいて、当該式の値を算出する算出ステップ」を削除した発明であり、その補正発明が、上記第２の［理由］２（３）に記載したとおり、引用発明並びに引用文献３及び４の記載事項に基づいて当業者が容易に発明をすることができたものであるから、本願発明も、引用発明並びに引用文献３及び４の記載事項に基づいて基づいて当業者が容易に発明をすることができたものである。
　
４　理由３について
　上記３（２）のとおり、本願発明は、補正発明のより上概概念の発明であり、実質的に上記第２の［理由］２（２）での判断のとおりであるから、本願発明は、発明の詳細な説明に記載したものとはいえず、特許法第３６条第６項第１号に規定する要件を満たしていない。
第４　むすび 
　以上のとおり、本願発明は、特許法第３６条第６項第１号に規定する要件を満たしていない、あるいは、特許法第２９条第２項の規定により特許を受けることができないものであるから、その余の拒絶の理由及びその余の請求項に係る発明について言及するまでもなく、本願は拒絶されるべきものである。 
　よって、結論のとおり、審決する。